【手続補正書】
【提出日】平成20年2月27日(2008.2.27)
【手続補正１】
【補正対象書類名】明細書
【補正対象項目名】請求項１
【補正方法】変更
【補正の内容】
【請求項１】  遊技媒体を用いて遊技者が所定の遊技を行うことが可能であり、所定の払出条件が成立したことにもとづいて遊技媒体を遊技者に払い出す遊技機であって、
遊技の進行を制御する遊技制御手段と、
遊技媒体の払い出しを行う払出手段と、
前記払出手段を制御する払出制御手段と、
前記払出手段による遊技媒体の払い出しを検出する払出検出手段と、
人為的操作に応じてエラー解除信号を出力するエラー解除操作手段とを備え、
前記遊技制御手段は、
前記払出条件の成立にもとづいて払い出すべき遊技媒体の総数を特定可能な遊技媒体数データを記憶するとともに、遊技機への電力供給が停止したときに記憶内容を少なくとも所定期間保存することが可能な遊技媒体数記憶手段と、
前記遊技媒体数データにもとづいて前記払出制御手段に対して所定数の遊技媒体の払出数を特定可能な払出指令信号を送信する払出指令信号送信手段と、
前記払出指令信号送信手段が払出指令信号を送信した後に所定の条件が成立すると前記遊技媒体数データから前記払出指令信号で特定された払出数に対応する値を減算する減算処理を行う遊技媒体数データ減算手段とを含み、
前記払出制御手段は、
前記払出指令信号送信手段から送信された払出指令信号で特定された払出数の遊技媒体を、前記払出手段を制御して払い出させる払出処理を実行する遊技媒体払出制御手段と、
前記払出処理によって払い出される遊技媒体の払出予定数のうち未だ払い出されていない遊技媒体数を示す未払出数データを記憶するとともに、前記払出検出手段の検出出力にもとづいて前記未払出数データを減算する減算処理を行う未払出数記憶手段と、
前記払出指令信号を受信したことを示す指令受付信号を前記遊技制御手段に送信する指令受付信号送信手段と、
所定条件の成立により払い出しに関わる制御状態をエラー状態に移行させるエラー状態設定手段と、
前記エラー状態において前記エラー解除操作手段からエラー解除信号が出力されたことにもとづいて前記エラー状態を解除するエラー状態解除手段とを含み、
前記払出指令信号送信手段は、前記遊技媒体数データ減算手段による減算処理の後に前記遊技媒体数データが払い出すべき遊技媒体があることを示すデータであったときには、前記払出指令信号で特定される払出数の遊技媒体の払出処理が終了した後に次の払出指令信号を出力し、
前記遊技媒体数データ減算手段は、前記所定の条件としての前記指令受付信号の受信により前記遊技媒体数データの減算処理を実行し、
前記未払出数記憶手段は、前記エラー状態であっても、前記払出検出手段からの検出出力があると前記未払出数データの減算処理を実行する
ことを特徴とする遊技機。
【手続補正２】
【補正対象書類名】明細書
【補正対象項目名】０００９
【補正方法】変更
【補正の内容】
【０００９】
【課題を解決するための手段】
本発明による遊技機は、遊技媒体を用いて遊技者が所定の遊技を行うことが可能であり、所定の払出条件が成立した（例えば遊技球が入賞領域に入賞した）ことにもとづいて遊技媒体を遊技者に払い出す遊技機であって、遊技の進行を制御する遊技制御手段（例えばＣＰＵ５６等）と、遊技媒体の払い出しを行う払出手段（例えば球払出装置９７）と、払出手段を制御する払出制御手段（例えば払出制御用ＣＰＵ３７１等）と、払出手段による遊技媒体の払い出しを検出する払出検出手段（例えば払出カウントスイッチ３０１）と、人為的操作に応じてエラー解除信号（例えば操作に応じた操作信号）を出力するエラー解除操作手段（例えばエラー解除スイッチ３７５）とを備え、遊技制御手段は、所定の払出条件の成立にもとづいて払い出すべき遊技媒体の総数を特定可能な遊技媒体数データを記憶するとともに、遊技機への電力供給が停止したときに記憶内容を少なくとも所定期間保存することが可能な遊技媒体数記憶手段（例えば電源バックアップされたＲＡＭ５５における総賞球数格納バッファ）と、遊技媒体数データにもとづいて払出制御手段に対して所定数の遊技媒体の払出数を特定可能な払出指令信号（例えば払出個数信号）を送信する払出指令信号送信手段（例えば遊技制御手段におけるステップＳ２３２の賞球送信処理を実行する部分）と、払出指令信号送信手段が払出指令信号を送信した後に所定の条件（例えば払出ＢＵＳＹ信号がオン状態になったこと）が成立すると遊技媒体数データから払出指令信号で特定された払出数に対応する値を減算する減算処理を行う遊技媒体数データ減算手段（例えば遊技制御手段におけるステップＳ２３３の賞球待ち処理２を実行する部分）とを含み、払出制御手段は、払出指令信号送信手段から送信された払出指令信号で特定された払出数の遊技媒体を、払出手段を制御して払い出させる払出処理を実行する遊技媒体払出制御手段（例えば払出制御手段におけるステップＳ５４６およびステップＳ７５６の払出制御処理を実行する部分）と、払出処理によって払い出される遊技媒体の払出予定数のうち未だ払い出されていない遊技媒体数を示す未払出数データ（例えば未払出個数）を記憶するとともに、払出検出手段の検出出力にもとづいて未払出数データを減算する減算処理を行う未払出数記憶手段（例えば払出制御手段におけるステップＳ５４６，Ｓ６０１，Ｓ６０２を実行する部分）と、払出指令信号を受信したことを示す指令受付信号（例えば払出ＢＵＳＹ信号）を遊技制御手段に送信する指令受付信号送信手段（例えば払出制御手段におけるステップＳ５４７を実行する部分）と、所定条件の成立（例えば図５１に示すいずれかのエラー原因の発生）により払い出しに関わる制御状態をエラー状態（例えばエラーフラグのエラービットがセットされている状態）に移行させるエラー状態設定手段（例えば払出制御手段におけるステップＳ５６３，Ｓ５６４、Ｓ６６１，Ｓ６６６，Ｓ６９２，Ｓ６９３を実行する部分）と、エラー状態においてエラー解除操作手段からエラー解除信号が出力されたことにもとづいてエラー状態を解除するエラー状態解除手段（例えば払出制御手段におけるステップＳ６７１〜Ｓ６７７を実行する部分）とを含み、払出指令信号送信手段は、遊技媒体数データ減算手段による減算処理の後に遊技媒体数データが払い出すべき遊技媒体があることを示すデータであったときには、払出指令信号で特定される払出数の遊技媒体の払出処理が終了した後に次の払出指令信号を出力し（例えばステップＳ２６５の処理の実行後に、ステップＳ２７１で払出ＢＵＳＹ信号がオフ状態になったことを確認してから、ステップＳ２４７で総賞球数格納バッファの内容が０でないことを条件にステップＳ２５４で払出個数信号を出力し）、遊技媒体数データ減算手段は、所定の条件としての指令受付信号の受信により遊技媒体数データの減算処理を実行し（例えば賞球待ち処理２で払出ＢＵＳＹ信号がオン状態になったらステップＳ２６５の減算処理を実行し）、未払出数記憶手段は、エラー状態であっても、払出検出手段からの検出出力があると未払出数データの減算処理を実行することを特徴とする。
【手続補正３】
【補正対象書類名】明細書
【補正対象項目名】０３１４
【補正方法】変更
【補正の内容】
【０３１４】
【発明の効果】
以上のように、請求項１記載の発明によれば、遊技制御手段が、所定の払出条件の成立にもとづいて払い出すべき遊技媒体の総数を特定可能な遊技媒体数データを記憶するとともに、遊技機への電力供給が停止したときに記憶内容を少なくとも所定期間保存することが可能な遊技媒体数記憶手段と、遊技媒体数データにもとづいて払出制御手段に対して所定数の遊技媒体の払出数を特定可能な払出指令信号を送信する払出指令信号送信手段と、払出指令信号送信手段が払出指令信号を送信した後に所定の条件が成立すると遊技媒体数データから払出指令信号で特定された払出数に対応する値を減算する減算処理を行う遊技媒体数データ減算手段とを含み、払出制御手段が、払出指令信号送信手段から送信された払出指令信号で特定された払出数の遊技媒体を、払出手段を制御して払い出させる払出処理を実行する遊技媒体払出制御手段と、払出処理によって払い出される遊技媒体の払出予定数のうち未だ払い出されていない遊技媒体数を示す未払出数データを記憶するとともに、払出検出手段の検出出力にもとづいて未払出数データを減算する減算処理を行う未払出数記憶手段と、払出指令信号を受信したことを示す指令受付信号を遊技制御手段に送信する指令受付信号送信手段と、所定条件の成立により払い出しに関わる制御状態をエラー状態に移行させるエラー状態設定手段と、エラー状態においてエラー解除操作手段からエラー解除信号が出力されたことにもとづいてエラー状態を解除するエラー状態解除手段とを含み、払出指令信号送信手段が、遊技媒体数データ減算手段による減算処理の後に遊技媒体数データが払い出すべき遊技媒体があることを示すデータであったときには、払出指令信号で特定される払出数の遊技媒体の払出処理が終了した後に次の払出指令信号を出力し、遊技媒体数データ減算手段は、所定の条件としての指令受付信号の受信により遊技媒体数データの減算処理を実行し、未払出数記憶手段が、エラー状態であっても、払出検出手段からの検出出力があると未払出数データの減算処理を実行するので、遊技媒体の未払出数を遊技制御手段において一元管理できるとともに、未払出数を確実に管理することができる。その結果、払出制御手段の構成が簡略化され、遊技機のコストが低減する。また、入賞が生じていないにも関わらず不正行為によって遊技媒体が払い出されてしまうことを防止することができる。また、遊技制御手段において払出制御手段が払出指令信号を受信したことを確実に確認することができる。さらに、遊技媒体の払い出しに関わるエラー状態に移行されているときに遊技媒体の払い出しが検出された場合でも、正確な遊技媒体の払出個数を管理することができる。